(57)【特許請求の範囲】
【請求項１】
グリップ部を握った状態で、該グリップ部の上方にあるノズルヘッド部を押し下げて、シリンダ部内の液体をノズルヘッド部から吐出させるプッシュ型ポンプディスペンサにおいて、前記グリップ部の指当接部が、前記ノズルヘッド部の力点より後方にあり、
前記グリップ部がＬ字状に形成されており、その指当接部の傾斜角度が３度〜１０度であり、
シリンダ部と該シリンダ部に取り付けられたグリップ部と、該シリンダ部内に摺動自在なピストン部と、該ピストン部に取り付けられたピストンシャフト部と、該ピストンシャフト部に取り付けられたノズルヘッド部と、前記シリンダ部を復帰させるためのバネ部と、前記シリンダ部を容器に取り付けるためのキャップ部と、ファーストバルブと、セカンドバルブとを備え、前記ノズルヘッド部は前方にノズル部を有し且つ後方に大きく延出した指掛け部を備え、前記グリップ部は前記ピストンシャフト部を内挿して案内する円筒基部を有しており、
前記ピストンシャフト部の外径（Ｒ）に対する前記グリップ部の前記円筒基部の長さ（Ｌ）の倍率が１〜３であり、
前記ノズルヘッド部の指掛け部を引き下げて前記グリップ部に近づけることにより、前記ピストン部を移動させて前記シリンダ部内に圧力を加え、前記ノズル部を通して液体を吐出させることを特徴とするプッシュ型ポンプディスペンサ。
【請求項２】
前記ピストンシャフト部は、軸方向にリブ部を有し、前記グリップ部の円筒基部には、該リブ部が嵌る縦長溝部を有することを特徴とする請求項１記載のプッシュ型ポンプディスペンサ。
【請求項３】
前記ピストンシャフト部の上部が前記ノズルヘッド部に圧入により取り付けられており、且つ前記グリップ部に前記シリンダ部の上部が圧入により取り付けられていることを特徴とする請求項１記載のプッシュ型ポンプディスペンサ。
【請求項４】
前記円筒基部には弾圧性を付与するための円筒状空部を有することを特徴とする請求項１記載のプッシュ型ポンプディスペンサ。
【請求項５】
前記グリップ部が円形状であることを特徴とする請求項１記載のプッシュ型ポンプディスペンサ。
【発明の詳細な説明】
【技術分野】
【０００１】
本発明は、容器に取り付けて中に収容された液を効率よく噴射させるためのポンプディスペンサに関し、さらに詳しくは、グリップ上方に位置するノズルヘッドを押し下げることで噴射圧を形成するプッシュ型ポンプディスペンサに関する。
【背景技術】
【０００２】
現在、容器に取り付けて内部の液を噴射（或いは吐出）させる器具としてポンプディスペンサが広く使用されている。
従前のポンプディスペンサは、通常、ピストン及びシリンダを備えており、ピストンを移動させることでシリンダ内に圧が加わり液が噴射されるものである。
この従前のポンプディスペンサは、ピストンの動かし方によりタイプが分かれており、その一つとして、例えば、４本の指でトリガーを引き込む形式のトリガー式ポンプディスペンサがある（特許文献１、特許文献２参照）。
【０００３】
これらのトリガー式ポンプディスペンサの前方にはトリガーに相当する作動レバーが設けられており、これを手で握り込んで手前に移動させると、それに連動して左右方向に配置されたピストンが移動し、シリンダ内の液圧が高まる。
その結果、ノズルから液が勢いよく噴射されることとなる。
【先行技術文献】
【特許文献】
【０００４】
【特許文献１】特開２００８―２２９４４５号公報
【特許文献２】特開２０１２−１７６３７９号公報
【特許文献３】特開２０１０−１８４１８２号公報
【発明の概要】
【発明が解決しようとする課題】
【０００５】
ところで、上記のようなトリガー式ポンプディスペンサにおいては、トリガーを引き込む場合、トリガー式ポンプディスペンサの周囲全体を手の平で握り、且つ指を使ってトリガーを横方向に引き込まなければならない。
そのため、手の小さい子供や、握力、指力の落ちた老人、身障者等が扱う際には、トリガーを握る状態が浅くなり、力を入れ難くなる。
また、４本（或いは人によっては、２、３本）の指を使って全体で握るため、ポンプディスペンサ本体の周囲に液剤等が付着している場合には、それが手に付着し汚れる欠点がある。特に、ノズルの真下に位置する指は汚れ易い。
【０００６】
このような問題を解決するために、トリガーの真下に取っ手を設けることで、トリガーと取っ手とを同時に握れてトリガーを下方に押し下げる構造のトリガー式ポンプディスペンサが開発されている（特許文献３参照）。
【０００７】
このトリガー式ポンプディスペンサは、後ろにある取っ手部を４本の指で支え、トリガーに親指を添えて押し下げる操作を行うもので、親指が上方に延びる状態で使用できるため操作性に優れている。
そのため、子供等にも簡便に扱うことができ極めて有用性のあるものである。
しかし梃を使ってトリガーを回動操作するので、押し下げに使う親指に円弧上の動きが必要となり、親指の動きに無理が生じる。
このようなことから、人間工学から見て更に使い易いものが望まれている。
【０００８】
本発明は、かかる背景技術をもとになされたもので、上記の背景技術の問題点を克服するためになされたものである。
すなわち、本発明は、ポンプ内のピストンに直線的に力を伝えて液体を噴射させる形態のポンプディスペンサにおいて、効率的に指力が伝わり操作性に優れたプッシュ型ポンプディスペンサを提供することを目的とする。
【課題を解決するための手段】
【０００９】
本発明者は、このような課題背景に対して鋭意研究を重ねた結果、ノズルヘッドを押し下げて噴射圧を形成することができるポンプディスペンサの場合には、グリップとノズルヘッドとの相互の位置関係に着目すると共に、ノズルヘッドの領域を拡張してグリップ部側に張り出させ、この張り出し部分を指当接部とすることで、より操作性を向上させることができる点を見出し、この知見に基づいて本発明を完成させたものである。
【００１０】
本発明は、（１）、グリップ部を握った状態で、該グリップ部の上方にあるノズルヘッド部を押し下げて、シリンダ部内の液体をノズルヘッド部から吐出させるプッシュ型ポンプディスペンサにおいて、上記グリップ部の指当接部が、上記ノズルヘッド部の力点より後方にあり、上記グリップ部がＬ字状に形成されており、その指当接部の傾斜角度が３度〜１０度であり、シリンダ部と該シリンダ部に取り付けられたグリップ部と、該シリンダ部内に摺動自在なピストン部と、該ピストン部に取り付けられたピストンシャフト部と、該ピストンシャフト部に取り付けられたノズルヘッド部と、上記シリンダ部を復帰させるためのバネ部と、上記シリンダ部を容器に取り付けるためのキャップ部と、ファーストバルブと、セカンドバルブとを備え、上記ノズルヘッド部は前方にノズル部を有し且つ後方に大きく延出した指掛け部を備え、上記グリップ部は上記ピストンシャフト部を内挿して案内する円筒基部を有しており、上記ピストンシャフト部の外径（Ｒ）に対する上記グリップ部の上記円筒基部の長さ（Ｌ）の倍率が１〜３であり、上記ノズルヘッド部の指掛け部を引き下げて上記グリップ部に近づけることにより、上記ピストン部を移動させて上記シリンダ部内に圧力を加え、上記ノズル部を通して液体を吐出させるプッシュ型ポンプディスペンサに存する。
【００１３】
本発明は、（２）、上記ピストンシャフト部は、軸方向にリブ部を有し、上記グリップ部の円筒基部には、該リブ部が嵌る縦長溝部を有する上記（１）記載のプッシュ型ポンプディスペンサに存する。
【００１４】
本発明は、（３）、上記ピストンシャフト部の上部が上記ノズルヘッド部に圧入により取り付けられており、且つ上記グリップ部に上記シリンダ部の上部が圧入により取り付けられている上記（１）記載のプッシュ型ポンプディスペンサに存する。
【００１６】
本発明は、（４）、上記円筒基部には弾圧性を付与するための円筒状空部を有する上記（１）記載のプッシュ型ポンプディスペンサに存する。
【００１７】
本発明は、（５）、上記グリップ部が円形状である上記（１）記載のプッシュ型ポンプディスペンサに存する。
【００２１】
なお、本発明の目的に添ったものであれば、上記（１）から（５）を適宜組み合わせた構成も採用可能である。
【発明の効果】
【００２２】
本発明は、グリップ部を握った状態で、該グリップ部の上方にあるノズルヘッド部を押し下げて、シリンダ部内の液体をノズル部から噴射するプッシュ型ポンプディスペンサにおいて、グリップ部の指当接部が、ノズルヘッド部の力点より後方にあるので、指力が効率よく的確に伝わり、操作性に優れる。
また、グリップ部がＬ字状に形成されており、その指当接部の傾斜角度が３度〜１０度であることにより、重力を支え易くなりグリップ力が増す。
そのため、容器の荷重の重いプッシュ型ポンプディスペンサにも適用することができる。
【図面の簡単な説明】
【００２３】
【図１】図１は、本発明のブッシュ型ポンプディスペンサを示す斜視図である。
【図２】図２は、本発明のプッシュ型ポンプディスペンサを示す側面図である。
【図３】図３は、本発明のプッシュ型ポンプディスペンサの平面図である。
【図４】図４は、本発明のプッシュ型ポンプディスペンサの指掛け部を押し下げる前の状態を示す断面図である。
【図５】図５は、グリップ部を下方から見た斜視図である。
【図６】図６は、本発明のプッシュ型ポンプディスペンサの使用方法を説明する図である。
【図７】図７は、本発明のプッシュ型ポンプディスペンサの指掛け部を押し下げた後の断面図である。
【図８】図８は、指当接部の傾斜角度θを変えてパネリングテストを行った本発明のプッシュ型ポンプディスペンサの側面図である。
【図９】図９は、本発明のプッシュ型ポンプディスペンサにおいて、指当接部の傾斜角度θを変えてパネリングテストを行った結果を示すもので、（Ａ）は一覧表を（Ｂ）はそのグラフを示す。
【図１０】図１０は、本発明の第２の実施の形態に係るプッシュ型ポンプディスペンサを示す側面図である。
【図１１】図１１は、グリップ部が環状になったプッシュ型ポンプディスペンサを示す側面図である。
【発明を実施するための形態】
【００２４】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２５】
（第１の実施の形態）
本発明のプッシュ型ポンプディスペンサＡは、グリップ部１２を握って、ノズルヘッド部３の延出した領域である指掛け部３１に指を当て下に押し下げる（すなわち引き下げる）ことで、ピストン部２１を下降させ、液に圧を加えてノズル部３２から噴射させる構造である。
なお、上記の下方に押し下げる力の伝達はピストン部に対して直接的であり、梃子を介するものではない。
【００２６】
図１は、本発明のブッシュ型ポンプディスペンサＡを示す斜視図であり、また、図２は、本発明のプッシュ型ポンプディスペンサＡを示す側面図である。
また、図３は、本発明のプッシュ型ポンプディスペンサＡを示す平面図である。
また、図４は、本発明のプッシュ型ポンプディスペンサＡの指掛け部３１を押し下げる前の状態を示す断面図である。
【００２７】
尚、図１〜図４は、ストッパ６を装着している状態を示しているが、ストッパ自体は輸送中に不用意な液の噴射が生じないように維持するものであり、使用する場合は、取り除いて使用する。
本発明のプッシュ型ポンプディスペンサＡは、主として、シリンダ構造体１とピストン構造体２とノズルヘッド部３（ノズル部３２を備える）とグリップ部１２とキャップ部４とを備える。
【００２８】
（シリンダ構造体）
シリンダ構造体１は、シリンダ部１１とファーストバルブ部ＦＶとスプリング部１３とを備えてなる。
シリンダ部１１はその内部にスプリング部１３を備えており、このスプリング部１３の上端は、後述するピストン部２１に内装され、また下端はリークバルブ１４に当接している。
スプリング部１３は、ピストンシャフト部２２が押し下げられた場合には、短縮されて復帰力を発揮するものであり、通常、コイルスプリングが好適に使用されるが、これに限るものではない。
このスプリング部１３の復帰力とピストンシャフト部２２の押し下げによって、シリンダ部内をピストン部２１が上下方向に摺動することができる。
またシリンダ部１１には外周フランジが形成されており、これをキャップ部４によってパッキンを介し押さえ付けて容器Ｂに取り付ける。
キャップ部４は、例えば螺合等により容器Ｂの口部に取り付けることができる。
【００２９】
（グリップ部）
このグリップ部１２は、本発明の主要な特徴点である。
グリップ部１２には、この握る部分とは反対側に円筒基部１２Ａが形成されており、この円筒基部１２Ａがシリンダ部１１の上部に圧入により取り付けられている。
【００３０】
図５は、グリップ部１２を下方から見た斜視図である。
図から分かるように、グリップ部１２の円筒基部１２Ａには、円筒状空間部１２Ａ１及び縦長溝部１２Ａ２が形成されている。
このうち円筒状空間部１２Ａ１は円筒基部１２Ａに弾圧力を与えるため、ピストンシャフト部２２が上下移動して円筒基部１２Ａとの接触した際、適度な接触圧を持たせるものである。
また縦長溝部１２Ａ２はピストンシャフト部２２と協働して案内機構を構成する部分であるが、詳しくは後述する。
またファーストバルブ部ＦＶはリークバルブ部１４の下端に一体に設けられているもので、弁部とばね部とを有する構造であるが、詳しい説明は省略する。
【００３１】
（ピストン構造体）
一方、ピストン構造体２は、ピストン部２１と、ノズルヘッド部３の動きをピストン部２１に伝えるためのピストンシャフト部２２と、該ピストンシャフト部２２に設けられたセカンドバルブＳＶとを備えてなる。
そして、ピストンシャフト部２２の上部にノズルヘッド部３が圧入により取り付けられている。
尚、この場合、取り付け強度の観点から、ノズルヘッド部３とピストンシャフト部２２との嵌合関係において、ピストンシャフト部２２がノズルヘッド部３に圧入されている長さは、ノズルヘッド部３の嵌合穴径に対して１乃至３倍が好ましく採用される。
【００３２】
また、上記ノズルヘッド部３には、前方に突出する形のノズル部３２が一体に形成されており、ここから液が噴射される。
ピストンシャフト部２２にはピストン部２１が圧入により取り付けられており、両者間は逆止め部を介して抜けないように確実に固定されている。
セカンドバルブ部ＳＶはピストンシャフト部２２の上端部に、すなわちノズルヘッド部３との取り付け位置に内装されている。
【００３３】
ところで前述したように、ピストン部２１はシリンダ部内を摺動するが、該ピストン部２１を動かすピストンシャフト部２２とグリップ部１２の円筒基部１２Ａの間には案内機構が備わっている。
すなわち一方のピストンシャフト部２２には軸方向に沿った縦リブ部２２Ａが設けられ、他方のグリップ部１２の円筒基部１２Ａには、該縦リブ部２２Ａが嵌る縦長溝部１２Ａ２が設けられている。
【００３４】
このような案内機構が存在することで、グリップ部１２の円筒基部１２Ａの縦長溝部１２Ａ２に嵌った状態でピストンシャフト部２２の縦リブ部２２Ａがスライドするようになるため、ピストンシャフト部２２が回動しないで安定した上下移動を行うことができる。
これにより、当然ながら、ピストン部２１の上下移動も安定し円滑なものとなる。
尚、円筒基部１２Ａに形成された円筒状空間部１２Ａ１があるため、ピストンシャフト部２２に弾圧的に当接することができ、よりピストンシャフト部２２の上下移動が安定したものとなる。
【００３５】
（ノズルヘッド部）
ピストンシャフト部２２の上端部に取り付けられたノズルヘッド部３は、後方に大きく延出した指掛け部３１を備えている。
すなわちノズルヘッド部３の後端部の一定領域には指掛け部３１が大きく延出して形成されている。
この指掛け部３１に親指を当てて押し下げる場合、指掛け部３１の中央位置が力点Ｐ１となる。
このような構造において、指掛け部３１の中央位置である力点Ｐ１をグリップ部１２の指当接部Ｓよりも前方の位置に設定する(特徴１)。
指掛け部３１に親指を当てて押し下げた場合に、ピストンシャフト部２２に的確に押圧を伝達して押し下げることができる。
しかも、上記の力点Ｐ１は、シリンダ部１１の中心軸とグリップ部１２との中間位置に設定されているので、上記押圧の伝達は力学的に安定した状態で行うことができる。
尚、指掛け部３１には、多数の横方向の線状突起を形成することも可能であり、このような線状突起を形成した場合、親指を押し下げる際に、指擦れを防いで極めて有効に力を伝達することができる。
【００３６】
ここで、ピストンシャフト部２２の外径（Ｒ）に対するグリップ部１２の上記円筒基部１２Ａの長さ（Ｌ）の倍率は１〜３とすることが好ましい。
このような構成にすれば、上記円筒基部１２Ａに対してピストンシャフト部２２が安定した上下移動ができる等の効果が得られる。
またピストンシャフト部２２の外径（Ｒ）は、円筒基部１２Ａに対する運動安定性の観点から５ｍｍ〜２０ｍｍの範囲が好ましい。
【００３７】
また、グリップ部１２の形状はＬ字状に形成し、その指当接部Ｓの傾斜角度は３度〜１０度にすることが好ましいが、この点については詳しく後述する。
【００３８】
本発明のプッシュ型ポンプディスペンサＡとしては、グリップ部１２を握った際に親指をやや前方に傾斜させて立てた状態で、ノズルヘッド部３の指掛け部３１の上に、置くことが可能となる。
ピストンシャフト部２２を押し下げる場合においては、グリップ部１２に親指を除く複数本の指を引っ掛け、これらの指でグリップ部１２を握った状態で親指を指掛け部３１の上に置き、この親指を下方に単に押し下げるだけで良い。
【００３９】
即ち、この場合は効率の良い片手操作が可能となる。
勿論、片方の手でグリップ部１２を握った状態で、他方の手で指掛け部３１を押し下げる両手操作も可能である。
グリップ部１２を設けたので、このグリップ部１２を利用して容易に操作することができ、両手操作も可能なので、手の小さい子供等も簡単に扱うことができる。
【００４０】
次に、プッシュ型ポンプディスペンサＡの作動について述べる。
図６は、本発明のプッシュ型ポンプディスペンサＡの使用方法を説明する図であり、図７は、本発明のプッシュ型ポンプディスペンサＡの指掛け部３１を押し下げた後の断面図である。
図６（ａ）は、本発明のプッシュ型ポンプディスペンサＡの使用前の側面図である。
図６（ｂ）は、本発明のプッシュ型ポンプディスペンサＡのグリップ部１２を使用者が片手の親指以外の指で握り、かつ指掛け部３１に親指を掛けた状態を示す側面図である。
図６（ｃ）は、指掛け部３１に掛けた親指を力点Ｐ１の位置で押し下げた状態を示す側面図である（指は省略）。
【００４１】
図６（ａ）に示す初期状態の本発明のプッシュ型ポンプディスペンサＡについて、その指掛け部３１に指を掛けて、力点Ｐ１の位置を直接押し下げる。
ここで、この力点Ｐ１の位置は、例えば、シリンダ部１１の中心軸から１００ｍｍ以内とすることが好ましい。
この場合、グリップ部１２の内側の位置（指当接部Ｓ）は、シリンダ部１１の中心軸から１００ｍｍ以上とする。
【００４２】
シリンダ部１１内の液圧が高まると、セカンドバルブ部ＳＶが開き（ファーストバルブＦＶは閉じている）、シリンダ部１１内の液体がノズルヘッド部３のノズル部３２（詳しくはノズル口）から吐出される。
この場合、ピストン部２１がシリンダ部１１内に収納されるにつれてノズル口が下がることになるが、指掛け部３１の下方への動きと一致するため的を定め易い。
なお、指掛け部３１は押し下げられてその図示しない一部がグリップ部１２に当接して止まるが、この位置が指掛け部３１の下死点である。
【００４３】
次に、手を放して指掛け部３１からの押圧力を開放すると、セカンドバルブ部ＳＶが閉じた状態で、シリンダ部１１に備わったスプリング部１３（図４参照）の復帰力によりピストンシャフト部２２が上昇して元の位置に戻ろうとする。
【００４４】
そのためシリンダ部１１内の圧力が低下し、ファーストバルブ部ＦＶが開き（この時、セカンドバルブ部ＳＶは閉じている）、容器本体内の新たな液がチューブ部５を介して吸い上げられてシリンダ部１１内に入ってくる。
【００４５】
スプリング部１３によって、指掛け部３１には常に上向きの付勢力が加わり、指掛け部３１に親指を掛けて少し押し下げても、この親指を外せば指掛け部３１は元の位置に自然に戻ることができる。
前述したように力点Ｐ１は、シリンダ部１１の中心軸とグリップ部１２との中間位置に設定されているので、上記押圧の伝達は力学的に安定した状態で行われ得る。
【００４６】
なお、容器本体内の液が減少するために容器本体内が負圧となり容器に凹み等が生じたり、液上げ作用が阻害されたりするが、プッシュ型ポンプディスペンサＡにはこれを解消するための図示しない負圧解消手段が備わっている。
【００４７】
先述したように、本発明のブッシュ型ポンプディスペンサＡにおいては、グリップ部１２が指掛け部３１の下に位置しているので、液を噴射するため指掛け部３１を押し下げる場合、ポンプディスペンサ全体を握る必要はない。
【００４８】
図６に示したように、グリップ部１２に４本（或いは人によっては３本）の指を引っ掛けた状態で親指を指掛け部３１の力点Ｐ１の上に添えて、これを単に下方に押し下げるだけでよい。
そのため手の小さい子供、非力な老人等も簡単に扱うことができる。
更にポンプディスペンサ自体に液剤が付着している場合にも、手がポンプディスペンサ本体より離れているため汚れない。
【００４９】
グリップ部１２及びノズルヘッド部３の指掛け部３１については、上述したが、更に、両者の位置関係について述べることとする。
本発明のグリップ部１２においては、握る人の指が当接する部分（「指当接部Ｓ」という）が、前方に傾斜している。
【００５０】
このように指当接部Ｓが前方に傾斜していることによって、グリップ部１２を握って指を当てた状態では、親指も前方に傾くこととなる。
【００５１】
親指が前方へ傾くことで指掛け部３１に容易に親指を掛けることができ、また同時に指掛け部３１を押し下げ易くなる。
更に、グリップ部１２を握った場合、その指当接部Ｓの傾斜面により、分力が発生してプッシュ型ポンプディスペンサＡの重力が分散するために支え易くなりグリップ力が増す。
このような特徴２は、プッシュ型ポンプディスペンサＡを含む容器全体の重さを支えるためにも効果的である。
上記の点の妥当性の実験は後述する。
【００５２】
また本発明では、指当接部Ｓは、その全てがノズルヘッド部３の指掛け部３１の力点Ｐ１の後方(外側) に位置している。
指当接部Ｓが力点Ｐ１の後方(外側) に位置していることにより、グリップ部１２を握って、親指を指掛け部３１に当てた場合に、親指が前方に傾いた状態となり、本来の親指の曲げる方向に押す操作が容易に行える。
従って指の使い方に無理が生じなく、効率的な指力の伝達ができる。
【００５３】
すなわち、具体的には、グリップ部１２を握って親指を立てた状態から前方に傾斜させて指掛け部３１の力点Ｐ１に当てる。
そのまま、親指の曲がる方向に親指を押し下げて指掛け部３１を押し下げれば良い。
【００５４】
因みに、指当接部Ｓが指掛け部３１の力点Ｐ１の前方(内側) に位置していると、グリップ部１２を握った状態で親指を真上より後方に傾斜状態に立てて指掛け部３１に引っ掛けなければならない。
この場合、親指を指掛け部３１に引っ掛けるには、このように第１段階で、本来の親指の曲がる方向とは、逆方向に反らさなければならず、関節の機能から見て指に無理が生じるのである。
また、この場合、次の第２段階で指掛け部３１を押し下げる際においても、親指を反らした状態のまま押し下げるようになるため、押し下げの操作も行い難い。
【００５５】
（実験例１）
上記特徴２の実験例として、グリップ部１２の指当接部Ｓの前方への傾斜角度θを変えて実験を行った。
【００５６】
図８に示すようなプッシュ型ポンプディスペンサＡにおいて、指当接部Ｓの傾斜角度θを変えてパネリングテストを行った。
任意に選んだ標準体型の一般成人男女を４３人に対し、指当接部Ｓの傾斜角度を１度、２度、３度、４度、５度、６度、７度、８度、９度、１０度、１１度、１２度と変えてその操作性を見た。
なお、他の寸法は、図示するとおりである。
評価については、指掛け部３１を押し下げる際に、操作がし易い（◎）、操作がややし易い（○）、どちらとも言えない（△）、操作がややし難い（□）、操作がし難い（×）の５段階評価を行った。
図９は、その結果を示すものであり、（Ａ）は一覧表を（Ｂ）はそのグラフを示す。
【００５７】
図９の結果が示すように、指当接部Ｓの傾斜部の傾斜θは、２度〜１１度の範囲が好ましく、更に好ましくは３度〜１０度の範囲であることが操作性の観点で優れていることが分かった。
なお、本体の寸法を変えて同様な実験を行ったが、ほぼ同様の傾向を示した。
【００５８】
以上説明してきた第１の実施の形態では、グリップ部１２がプッシュ型ポンプディスペンサＡに設けられている例であるが、次に述べる第２の実施の形態のように、グリップ部１２は、別の部材である容器Ｂに設けることも可能である。
その場合でも、前述した第１の実施の形態と同じように、グリップ部１２と指掛け部３１との配設関係，及びグリップ部１２にある指当接部Ｓの傾斜角度、の妥当性については同様なことがいえる。
【００５９】
なお、本発明のプッシュ型ポンプディスペンサＡにおいて使用する液体としては、例えば、化粧品、液体洗剤、洗濯助剤、柔軟剤、シャンプー、ボディソープ、食器用洗剤等が可能であり、これらの液体を、その専用収納容器を介して、若しくは別途に用意された容器を介して用いることが可能である。
【００６０】
（第２の実施の形態）
図１０は、本発明の第２の実施の形態に係るプッシュ型ポンプディスペンサＡ１を示す側面図である。尚、ストッパ６を装着している状態を示した。
このプッシュ型ポンプディスペンサＡ１は、グリップ部を備えないプッシュ型ポンプディスペンサをグリップ部を有する容器Ｂ１の口部に取り付けたものである。
【００６１】
容器Ｂ１の口部に取り付ける上記プッシュ型ポンプディスペンサＡ１は、例えば第１の実施の形態のプッシュ型ポンプディスペンサＡからグリップ部１２を除去したものに相当する。
以下、容器Ｂ１の口部に取り付ける当該プッシュ型ポンプディスペンサが、第１の実施の形態のプッシュ型ポンプディスペンサＡからグリップ部１２を除去したものである場合について説明する。
【００６２】
この実施の形態では容器Ｂ１にグリップ部１２Ｘが一体に設けられているが、このグリップ部１２Ｘを握った状態で、該グリップ部１２Ｘの上方にある指掛け部３１を押し下げて、シリンダ部内の液体をノズル部３２から噴射させるものである（図４、図７参照）。
この容器付きのプッシュ型ポンプディスペンサＡ１は、第１の実施の形態のプッシュ型ポンプディスペンサＡと同じく、シリンダ部を備えるシリンダ構造体、該シリンダ構造体内に摺動自在なピストン構造体、ノズル部３２を有するノズルヘッド部３とキャップ部４を備えている。
【００６３】
なお、第１の実施の形態の円筒基部に相当する部分であるピストン案内円筒部は備わっており、シリンダ部の上端部に圧入により取り付けられている。
ピストン部とシリンダ部との間には案内機構が備わっていることも、第１の実施の形態の円筒基部と同じである。
【００６４】
この容器付きのプッシュ型ポンプディスペンサＡ１において、容器Ｂ１のグリップ部１２Ｘを４本の指で握り、指掛け部３１に親指を当てて押し下げると、ピストン部がピストンシャフト部と共に押し下げられ、液を噴出する。
その後は、スプリング部の復元力により、ピストンシャフト部は押し上げられて、元の位置に戻る。
【００６５】
この容器付きのプッシュ型ポンプディスペンサＡ１のグリップ部１２Ｘにおいても、握る人の指が当接する部分（「指当接部Ｓ」という）は、前方に傾斜している。
なお、グリップ部１２Ｘの形状はＬ字状で先端部が容器の中ほどに連絡されているものであり、その指当接部の傾斜角度は３度〜１０度とすることが好ましい。
そのためグリップ部１２Ｘを握って指を当てた状態では、必然的に親指も前方に傾くこととなり、指掛け部３１に容易に親指を掛けることができ、また同時に指掛け部３１を押し下げ易くなる。
また容器Ｂ１も含めて全体に重量を支え易い。
【００６６】
この容器付きのプッシュ型ポンプディスペンサＡ１においても、容器Ｂ１に設けた取っ手部１２Ｘの指当接部Ｓは、その全てがプッシュ型ポンプディスペンサＡ１に設けた指掛け部３１の力点Ｐ１の後方（外側）に位置させるものとする。
そのため、握って、親指を指掛け部３１に当てた場合に、親指が前方に傾いた状態となり、本来の親指の曲げる方向に押す操作が可能である。
従って指の使い方に無理が生じなく、効率的な指力の伝達ができる。
しかも、上記の力点Ｐ１は、シリンダ部の軸とグリップ部１２Ｘとの中間位置に設定することができるので、上記押圧の伝達は力学的に安定した状態で行うことができる。
なお、この容器付きのプッシュ型ポンプディスペンサＡ１においても、前述した第１の実施の形態と同様な実験を行って、上記特徴点１及び特徴点２の検証を行った。
【００６７】
その結果、ほぼ同様の評価結果が得られている。
すなわち、指当接部Ｓの傾斜部の傾斜θは３度〜１０度の範囲であることが操作性の観点で優れていること、及び指当接部Ｓの全てが指掛け部３１の力点Ｐ１の後方(外側) に位置している場合（Ａ）が、操作性に優れていること、が分かった。
【００６８】
以上、本発明をその一実施形態を例に説明したが、本発明は上述した実施形態のみに限定されるものではなく、種々の変形が可能である。
例えば、グリップ部１２の形状は環状、すなわち筒状にすることも可能である。
【００６９】
図１１は、グリップ部が環状になった（筒状になった）プッシュ型ポンプディスペンサＡ２を示す側面図である。
グリップ部１２Ｙの指当接部が、ノズルヘッド部３の力点より後方にあることは、上述の各実施の形態と同じである。
このような形状にすれば、環状のグリップ部１２Ｙに人差し指を入れて、親指をノズルヘッド部３の指掛け部３１に掛け、他の指をプッシュ型ポンプディスペンサＡ２の側面に当接させることも可能となる。
この場合には指が外れ難くなる等の効果が得られる。
【００７０】
また、以上述べたプッシュ型ポンプディスペンサは、蓄圧式のものにも適応ができ、また、ノズル部の先端に公知のオリフィスやフォーマーを取り付けることで、液を霧状や泡状にして吐出させることも当然可能である。
【産業上の利用可能性】
【００７１】
本発明は、効率的に指力が伝わり操作性に優れたプッシュ型ポンプディスペンサであり、また手の小さい人、や非力の人にも容易に扱うことができるプッシュ型ポンプディスペンサである。
そのため、例えば当該発明の流体噴射原理を使用するものであれば、塗装用としての工業全般、美容器具、或いは医療用器具等の分野にも適用が十分可能である。
【符号の説明】
【００７２】
１・・・シリンダ構造体
１１・・・シリンダ部
１２、１２Ｙ、１２Ｘ・・・グリップ部
１２Ａ・・・円筒基部
１２Ａ１・・・円筒状空間部
１２Ａ２・・・縦長溝部
１３・・・スプリング部
１４・・・リークバルブ部
２・・・ピストン構造体
２１・・・ピストン部
２２・・・ピストンシャフト部
２２Ａ・・・縦リブ部
３・・・ノズルヘッド部
３１・・・指掛け部
３２・・・ノズル部
４・・・キャップ部
５・・・チューブ部
６・・・ストッパ
Ａ，Ａ１・・・プッシュ型ポンプディスペンサ
Ｂ,Ｂ１・・・容器
Ｓ・・・指当接部
Ｐ１・・・力点
ＦＶ・・・ファーストバルブ部
ＳＶ・・・セカンドバルブ部
【図１】
0006595751.tif 000002
【図２】
0006595751.tif 000003
【図３】
0006595751.tif 000004
【図４】
0006595751.tif 000005
【図５】
0006595751.tif 000006
【図６】
0006595751.tif 000007
【図７】
0006595751.tif 000008
【図８】
0006595751.tif 000009
【図９】
0006595751.tif 000010
【図１０】
0006595751.tif 000011
【図１１】
0006595751.tif 000012